(57)【要約】      （修正有）【課題】外観性状がよく、再生作業が簡易な、商品収容体を提供する。【解決手段】商品収容体は、商品と、商品を支持する支持体と、支持体に取り付けられる外装体と、を備え、支持体は、商品を収容する収容部２１と、収容部の開口周縁に形成されたフランジ部２２と、フランジ部に連結可能な支持部２３と、フランジ部と支持部とを着脱自在に固定可能な固定手段２６ｂ，２６ｄと、を備え、外装体は、支持体の収容部が貫通する貫通孔が形成された本体部３１と、本体部の背面側に配置されるカバー部３２，３３と、を備え、支持体の収容部が、外装体の貫通孔を貫通した状態で、フランジ部が本体部とカバー部との間に配置されるとともに、カバー部の背面に支持部が配置されるように構成され、さらに、支持部とフランジ部とが、カバー部を貫通する固定手段により固定されるように構成される。【選択図】図４
2020073395.tif 000002
【特許請求の範囲】
【請求項１】
商品と、
前記商品を支持する支持体と、
前記支持体に取り付けられる外装体と、
を備え、
前記支持体は、
前記商品を収容するカップ状の収容部と、
前記収容部の開口周縁に形成されたフランジ部と、
前記フランジ部に連結可能な支持部と、
前記フランジ部と支持部とを着脱自在に固定可能な固定手段と、
を備え、
前記外装体は、
前面及び背面を有する板状に形成され、前記支持体の収容部が貫通する貫通孔が形成された、本体部と、
前面及び背面を有する板状に形成され、前記本体部において少なくとも２箇所の異なる端部にそれぞれ接続されるとともに、前記本体部の背面側に配置される、カバー部と、
を備え、
前記支持体の収容部が、前記外装体の前記貫通孔を貫通した状態で、前記フランジ部が前記本体部とカバー部との間に配置されるとともに、前記カバー部の背面に前記支持部が配置されるように構成され、さらに、
前記支持部と前記フランジ部とが、前記カバー部を貫通する前記固定手段により固定されるように構成され、
前記支持部と前記フランジ部とが、前記固定手段により固定された状態で、前記外装体の本体部とカバー部との間には、空間が形成されるように構成されている、商品収容体。
【請求項２】
前記カバー部は、前記本体部の対向する端部にそれぞれ連結される第１部位と、第２部位と、を備え、
前記支持部と前記フランジ部とが、前記第１部位及び第２部位を貫通する前記固定手段により固定されるように構成されている、請求項１に記載の商品収容体。
【請求項３】
前記固定手段により前記フランジ部に固定された状態の前記支持部から突出し、前記支持体及び前記外装体を起立させるための脚部がさらに設けられている、請求項１または２に記載の商品収容体。
【発明の詳細な説明】
【技術分野】
【０００１】
本発明は、商品収容体に関する。
【背景技術】
【０００２】
従来より、商品を、透明の樹脂材料で包装し、そのまま店頭に展示できる商品収容体（いわゆるブリスター容器）が用いられている。このような商品収容体には、紙などで形成された外装体が取り付けられ、この外装体に商品名や商品の説明などを記載し、商品の特徴などを記載していた。例えば、特許文献１には、板状に形成された一対の透明樹脂材料に、商品を収容するカップ状の収容部を形成するとともに、これら透明樹脂材料の間に、商品説明用の台紙を挟んだ商品収容体が開示されている。一方、特許文献２には、カップ状に形成された透明樹脂材料に商品を収容するとともに、この透明樹脂材料を接着剤で台紙の上に貼り付けた商品収容体が開示されている。
【先行技術文献】
【特許文献】
【０００３】
【特許文献１】特開２００２−１２２５９号公報
【特許文献２】特開２００８−１３９０号公報
【発明の概要】
【発明が解決しようとする課題】
【０００４】
しかしながら、上記特許文献１の商品収容体は、透明樹脂材料全体が外部に露出し、見た目がよくないという問題がある。一方、特許文献２の商品収容体は、接着剤によって透明樹脂材料が台紙に貼り付けているため、不具合が見つかっても、一度組み付けてしまうと再生作業が困難になるという問題がある。本発明は、これらの問題を解決するためになされたものであり、外観性状がよく、再生作業が簡易な、商品収容体を提供することを目的とする。
【課題を解決するための手段】
【０００５】
本発明に係る商品収容体は、商品と、前記商品を支持する支持体と、前記支持体に取り付けられる外装体と、を備え、前記支持体は、前記商品を収容するカップ状の収容部と、前記収容部の開口周縁に形成されたフランジ部と、前記フランジ部に連結可能な支持部と、前記フランジ部と支持部とを着脱自在に固定可能な固定手段と、を備え、前記外装体は、前面及び背面を有する板状に形成され、前記支持体の収容部が貫通する貫通孔が形成された、本体部と、前面及び背面を有する板状に形成され、前記本体部において少なくとも２箇所の異なる端部にそれぞれ接続されるとともに、前記本体部の背面側に配置される、カバー部と、を備え、前記支持体の収容部が、前記外装体の前記貫通孔を貫通した状態で、前記フランジ部が前記本体部とカバー部との間に配置されるとともに、前記カバー部の背面に前記支持部が配置されるように構成され、さらに、前記支持部と前記フランジ部とが、前記カバー部を貫通する前記固定手段により固定されるように構成されている。
【０００６】
この構成によれば、外装体の本体部に貫通孔を形成し、この貫通孔から商品が収容された収容部を露出させている。そして、収容部の開口周縁に連結されたフランジ部は、外装体の本体部とカバー部との間に配置している。そのため、フランジ部が外部に露出せず、見栄えをよくすることができる。
【０００７】
また、フランジ部を外装体の本体部とカバー部との間に配置し、フランジ部に接続された支持部をカバー部の背面に配置し、フランジ部と支持部とを、カバー部を貫通する固定手段によって着脱自在に固定しているため、この固定状態を解除すると、支持体と外装体とを簡単に分離することができる。そして、必要に応じて、再生作業を容易に行うことができる。
【０００８】
上記商品収容体において、カバー部の構成は、特には限定されないが、例えば、前記カバー部は、前記本体部の対向する端部にそれぞれ連結された第１部位と第２部位と、を備え、前記支持部と前記フランジ部とが、前記第１部位及び第２部位を貫通する前記固定手段により固定されるように構成されているものとすることができる。
【０００９】
上記各商品収容体においては、前記支持部と前記フランジ部とが、前記固定手段により固定された状態で、前記外装体の本体部とカバー部との間に、空間が形成されるように構成することができる。
【００１０】
この構成によれば、複数の商品収容体を積み重ねたときに、空間が緩衝作用をなすため、商品収容体が損傷するのを防止することができる。また、この空間が上下方向に貫通していれば、商品収容体の上端に埃が溜まるのを防止することができる。すなわち、空間の上端部が開港しているため、埃はこの中に入り、下端部の開口から抜け出ていく。
【００１１】
上記各商品収容体においては、前記本体部及びカバー部の両方を貫通する吊り掛け穴を形成することができる。
【００１２】
この構成によれば、吊り掛け用のフックが２つの吊り掛け穴に通されるため、フックからの反力は、２つの吊り掛け穴に分散される。したがって、吊り掛け穴が変形したり、損傷するのを防止することができる。また、２つの吊り掛け穴は、平行に配置されているため、商品収容体をフックに対して傾斜せず、まっすぐに吊り下げることができる。したがって、吊り下げられた商品収容体を見やすくすることができる。
【００１３】
上記各商品収容体においては、前記支持体の支持部を、透明に形成し、前記カバー部に前記商品に関する表示が施され、当該表示は前記支持部を介して外部から視認可能とすることができる。これにより、カバー部に施した商品の表示を視認することができ、カバー部を有効に利用することができる。
【００１４】
上記各商品収容体においては、前記収容部に前記商品が収容された状態で、前記商品の一部が前記収容部の開口から前記カバー部側に突出するように構成することができる。
【００１５】
これにより、フランジ部を外装体の本体部とカバー部との間に配置したとき、収容部の開口から突出する商品の一部がカバー部に当接するため、商品が収容部の内壁面とカバー部との間で固定される。したがって、例えば、輸送時に商品が収容部内で動き、損傷するのを防止することができる。
【００１６】
上記各商品収容体においては、前記カバー部材から突出し、前記支持体及び前記外装体を起立させるための脚部がさらに設けることができる。これにより、前記支持体及び前記外装体を起立させることができる。
【発明の効果】
【００１７】
本発明に係る商品収容体によれば、外観性状がよく、使用後の再生作業が簡易である。
【図面の簡単な説明】
【００１８】
【図１】本発明に係る商品収容体の一実施形態を示す斜視図である。
【図２】図１の正面図である。
【図３】図１の側面図である。
【図４】図１の平面図である。
【図５】図１の背面図である。
【図６】支持体の展開図である。
【図７】図５のＡ−Ａ線断面図である。
【図８】外装体の展開図である。
【図９】商品収容体の組立を説明する背面図である。
【図１０】商品収容体の組立を説明する断面図である。
【図１１】商品収容体の組立を説明する背面図である。
【図１２】商品収容体の組立を説明する背面図である。
【図１３】外装体の他の例を示す正面図である。
【図１４】外装体の他の例を示す正面図である。
【図１５】外装体の他の例を示す正面図である。
【発明を実施するための形態】
【００１９】
以下、本発明に係る商品収容体の一実施形態について図面を参照しつつ説明する。図１はこの商品収容体の斜視図、図２は図１の正面図、図３は図１の側面図、図４は図１の平面図、図５は図１の背面図である。
【００２０】
図１〜図５に示すように、この商品収容体は、商品１と、この商品１を支持する支持体２と、この支持体２に取付けられる外装体３と、を備えている。以下では、図３の左側を前、右側を後と称し、他の図面においてもこの方向を基準に説明を行う。以下、各部材について説明する。
【００２１】
＜１．支持体＞
図６は支持体の展開図、図７は図６のＡ−Ａ線断面図である。図６及び図７に示すように、この支持体２は、透明の薄板状の樹脂材料で形成されており、商品１を収容するカップ状の収容部２１と、この収容部２１の開口周縁に連結されるフランジ部２２と、このフランジ部２２の下縁に連結される支持部２３と、を備え、これらが一体的に形成されている。収容部２１の開口は、正面視矩形状に形成されており、直方体状にフランジ部２２から前方に向かって膨出している。そして、収容部２１の内面には、商品１の表面形状に対応した凹凸が形成されており、これによって、商品１は、やや下側を向いて傾斜するように配置される。このとき、商品１の背面が収容部２１の開口からやや突出するように、収容部２１の深さが決められている。
【００２２】
フランジ部２２は、矩形状の外形を有しており、その上下方向の中央よりやや上方に収容部２１が形成されている。また、フランジ部２２において、収容部２１の周囲の４箇所、つまり収容部２１の右上、右下、左上、及び左下には、後方に膨出する正面視十字型の固定凸部（固定手段）２４ａ〜２４ｄが形成されている。
【００２３】
そして、フランジ部２２の下縁には、ヒンジ部２５を介して、支持部２３が連結されている。支持部２３は、フランジ部２２とほぼ同様の大きさの矩形状に形成されており、上端部には、前方へ膨出するカップ状の脚部２３１が形成されている。脚部２３１は、後述するように、外装体３を起立させるためのものであり、外形が直方体状に形成されている。また、脚部２３１の下方には、商品１のパーツを収容するための副収容部２３２を備えている。副収容部２３２は、脚部２３１と同じく、前方へ膨出する直方体状のカップ状に形成されている。但し、脚部２３１よりは前方への膨出高さが低くなっている。
【００２４】
また、ヒンジ部２５を折り曲げて、支持部２３を、フランジ部２２の背面に当接させたとき、４つの固定凸部２４ａ〜２４ｄに対応する位置、つまり支持部２３の右上、右下、左上、及び左下には、固定凹部２６ａ〜２６ｄ（固定手段）が形成されている。４つの固定凹部２６ａ〜２６ｄは、前方に膨出する円筒状に形成されており、上記固定凸部２４ａ〜２４ｄの最大外径よりも小さい内径を有している。そのため、後述するように、支持部２３をフランジ部２２の背面に配置したときには、各固定凹部２６ａ〜２６ｄに、各固定凸部２４ａ〜２４ｄが嵌まり、支持部２３をフランジ部２２に固定できるようになっている。
【００２５】
＜２．外装体＞
次に、外装体３について説明する。図８は外装体を正面から見た展開図である。図８に示すように、外装体３は、紙などで形成されるものであり、矩形状の本体部３１と、その右側縁に折り目３２１を介して連結される第１カバー部（第１部位）３２と、本体部３１の左側縁に折り目３３１を介して連結される第２カバー部（第２部位）３３と、を備えている。
【００２６】
本体部３１は、フランジ部２２の高さ及び幅よりも大きい外形を有しており、中央付近には、矩形状の貫通孔３１１が形成されており、この貫通孔３１１には、上述した収容部２１が嵌め込まれるようになっている。また、本体部３１は、貫通孔３１１に収容部２１を嵌め込み、フランジ部２２を本体部３１の背面に配置したときには、フランジ部２２の下辺が本体部３１の下辺と一致するような形状に形成されている。
【００２７】
第１カバー部３２は、本体部３１と同じ大きさに形成されており、折り目３２１を折り曲げて本体部３１の背面に配置されるようになっている。また、第１カバー部３２の右上、右下、左上、及び左下には、円形の貫通孔３２２ａ〜３２２ｄが形成されている。一方、第２カバー部３３は、本体部３１と縦の長さが同じであるが、幅は短く（概ね第１カバー部３２の１／３以下）形成されている。そして、第２カバー部３３の上部及び下部には、円形の貫通孔３３２ａ，３３２ｂが形成されている。第１カバー部３２、折り目３２１で折り曲げて本体部３１の背面に配置し、その後、第２カバー部３３を折り目３３１で折り曲げ、第１カバー部３２上に配置したときに、第２カバー部３３の２つの貫通孔３３２ａ，３３２ｂは、第１カバー部３２の右上、右下の貫通孔３２２ａ,３２２ｂ（第１カバー部３２を本体部３１の背面に配置したときには、左上、左下に位置する）と一致するようになっている。なお、第１カバー部３２の４つの貫通孔３２２ａ〜３２２ｄは、本体部３１に支持体２の収容部２１及びフランジ部２２を取り付けた後、フランジ部２２を覆うように、第１カバー部３２を配置したときに、フランジ部２２の固定凸部２４ａ〜２４ｄと対応する位置に形成されており、固定凸部２４ａ〜２４ｄが貫通するようになっている。
【００２８】
また、本体部３１及び第１カバー部３２の上端の中央付近には、吊り掛け穴３１３，３２３がそれぞれ形成されており、両吊り掛け穴３１３，３２３は、本体部３１の背面に第１カバー部３２を配置したときに、一致するようになっている。さらに、第１カバー部３２には、商品１に関する説明表示３２４が施されている。但し、上述したように、第１カバー部３２上に第２カバー部３３を配置したときに、第２カバー部３３に覆われない領域に、説明表示３２４が配置されている。
【００２９】
＜３．商品収容体の組立＞
次に、商品収容体の組立について、図９〜図１２を参照しつつ説明する。まず、支持体２の収容部２１に商品１を収容する。次に、図９及び図１０に示すように、外装体３の本体部３１の背面から、貫通孔３１１に収容部２１を嵌め込むとともに、フランジ部２２を本体部３１の背面に当接する。このとき、支持体２の支持部２３は、本体部３１の下方に突出している。続いて、図１１に示すように、折り目３２１を折り曲げて第１カバー部３２により、フランジ部２２の背面を覆う。このとき、フランジ部２２の４つの固定凸部２４ａ〜２４ｄは、第１カバー部３２の４つの貫通孔３２２ａ〜３２２ｄを貫通し、背面側に突出する。また、折り目３２１の折り曲げに伴って、本体部３１は前方に向かって凸となるように湾曲し、第１カバー部３２は後方に凸となるように湾曲する。これにより、本体部３１と第１カバー部３２との間に空間が形成される。これに続いて、図１２に示すように、折り目３３１を折り曲げて第２カバー部３３を第１カバー部３２上に配置し、第１カバー部３２の貫通孔３２２ａ，３２２ｂから突出するフランジ部２２の左上及び左下の固定凸部２４ａ，２４ｂを、第２カバー部３３の貫通孔３３２ａ，３３２ｂから突出させる。
【００３０】
最後に、支持体２の副収容部２３２にパーツを収容した後、支持体２のヒンジ部２５を折り曲げて、支持部２３を第１及び第２カバー３２，３３を覆うように配置する。これにより、図３及び図４に示すように、脚部２３１は、外装体３の下端部の背面から後方へと突出する。そして、第１カバー部３２と第２カバー部３３から突出する４つの固定凸部２４ａ〜２４ｄを、支持部２３の固定凹部２６ａ〜２６ｄに嵌め込む。これにより、支持体２と外装体３とが一体的に固定される。また、固定凸部２４ａ〜２４ｄと固定凹部２６ａ〜２６ｄとの固定により、本体部３１と第１カバー部３２との間の空間が維持される。こうして、図１〜図５に示すような商品収容体の組立が完了する。そして、この商品収容体は、吊り掛け穴３２３，３３３を陳列棚のフックに引っ掛けて陳列したり、あるいは外装体３の下端部と、後方に延びる脚部２３１によって商品収容体を起立させて陳列することができる。
【００３１】
＜４．特徴＞
本実施形態に係る商品収容体は、次のような特徴がある。
＜４−１＞
外装体３の本体部３１に貫通孔３１１を形成し、この貫通孔３１１から商品１が収容された収容部２１を露出させている。そして、収容部２１の開口周縁に連結されたフランジ部２２は、外装体３の本体部３１と第１カバー部３２との間に配置している。そのため、フランジ部２２が外部に露出せず、見栄えをよくすることができる。
【００３２】
＜４−２＞
上記のように、フランジ部２２を外装体３の本体部３１と第１及び第２カバー部３２，３３との間に配置し、フランジ部２２に接続された支持部２３を第１及び第２カバー部３２，３３の背面に配置し、フランジ部２２と支持部２３とを、第１及び第２カバー部３２，３３を貫通する固定凸部２４ａ〜２４ｄ及び固定凹部２６ａ〜２６ｄによって着脱自在に固定しているため、この固定状態を解除すると、支持体２と外装体３とを簡単に分離することができる。特に、固定凸部２４ａ〜２４ｄ及び固定凹部２６ａ〜２６ｄを接着剤を使わずに固定しているため、仮に不具合が見つかった場合にも容易に分解を行うことができ、その後の支持体２と外装体３との再生作業（再度の組み付け作業）も容易に行うことができる。
【００３３】
＜４−３＞
外装体３において、本体部３１と第１カバー部３２との間に空間が形成されているため、例えば、複数の商品収容体を積み重ねたとき、空間が緩衝作用をもたらし、商品収容体が破損するのを防止することができる。このような空間を形成するには、外装体３を、紙のような塑性変形する材料で形成することが好ましい。
【００３４】
＜４−４＞
図４に示すように、本体部３１と第１カバー部３２との間には上下方向に貫通する空間が形成されるため、例えば、この商品収容体を脚部２３１により起立された場合には、商品収容体の上部に埃が溜まるのを防止することができる。すなわち、埃は空間に入って、下方へと貫通するため、商品収容体に溜まらない。
【００３５】
＜４−５＞
吊り掛け穴３２３，３３３は、外装体３の本体部３１と第１カバー部３２の２つの部材に亘って形成されているため、フックに引っ掛けてもフックからの反力が分散され、吊り掛け穴３２３，３３３が変形したり、損傷するのを防止することができる。また、本体部３１と第１カバー部３２に形成される吊り掛け穴３２３，３３３は、平行に並ぶため、外装体３をフックに対して傾斜せずまっすぐに吊り下げることができる。
【００３６】
＜４−６＞
支持体２の支持部２３が透明に形成されているため、外装体３の第１カバー部３２を支持部２３を介して視認することができる。そのため、第１カバー部３２に施した説明表示３２４を読み取ることができる。
【００３７】
＜４−７＞
商品１の背面が収容部２１の開口からやや突出するように、収容部２１の深さが決められているため、フランジ部２２を外装体３の本体部３１と第１カバー部３２との間に配置したとき、収容部２１の開口から突出する商品１の一部が第１カバー部３２に当接するため、商品１が収容部２１の内壁面と第１カバー部３２との間で固定される。そのため、例えば、輸送時に商品１が収容部２１内で動き、損傷するのを防止することができる。
【００３８】
＜５．変形例＞
以上、本発明の一実施形態について説明したが、本発明はこれに限定されるものではなく、その趣旨を逸脱しない限りにおいて種々の変更が可能である。なお、以下の変形例は、適宜組み合わせ可能である。
【００３９】
＜５−１＞
上記実施形態では、支持体２において、フランジ部２２の下辺に支持部２３を連結しているが、支持部２３とフランジ部２２との連結位置は、特に限定されない。例えば、フランジ部２２の上辺に支持部２３を連結してよい。また、支持部２３をフランジ部２２の左辺または右辺に連結することもできる。但し、この場合には、外装体３のカバー部３２，３３は、本体部３１の上辺及び下辺に連結される。さらに、支持体をフランジ部から分離していてもよい。この場合、カバー部３２，３３は、本体部３１の上辺及び下辺、または左辺及び右辺のいずれかに連結されていればよい。
【００４０】
＜５−２＞
上記実施形態では、第１カバー部３２を本体部３１と同じ大きさにし、第２カバー部３３を第１カバー部３２上に配置しているが、例えば、図１３に示すように、第１及び第２カバー部３２，３３を概ね同じ大きさにし、両者が重ならないように配置することができる。また、上記実施形態や図１３のように本体部３１の対向する端部にカバー部３２，３３を設けるほか、例えば、図１４に示すように、隣接する端部、つまり本体部３１の上辺と右辺にそれぞれカバー部３２，３３を連結してもよい。これらの場合、支持体２のフランジ部２２と支持部２３とは、すべてのカバー部を貫通して固定される必要があるが、貫通孔は各カバー部に少なくとも１つあればよい。あるいは、図１５に示すように、第１及び第２カバー部３２，３３を一体的に形成することもできる。すなわち、外装体３を筒状に形成することもできる。この場合には、フランジ部２２と支持部２３とを連結するための貫通孔は、、カバー部に１つだけでもよい。
【００４１】
＜５−３＞
上記実施形態では、支持体２のフランジ部２２と支持部２３とを固定する手段として固定凸部２４ａ〜２４ｄ及び固定凹部２６ａ〜２６ｄを採用しているが、カバー部を貫通してフランジ部２２と支持部２３とを着脱自在に固定することができるのであれば、特には限定されない。
【００４２】
＜５−４＞
支持体２において、収容部２１の数は特には限定されず、２以上あってもよい。また、脚部２３１や副収容部２３２は必ずしも設けなくてもよい。支持体２を構成する材料は特には限定されないが、変形可能な樹脂材料などが好ましく、また、商品を外部から視認できるのであれば、収容部２１は半透明であってもよく、あるいはフランジ部２２や支持部２３を不透明にすることもできる。
【００４３】
＜５−５＞
外装体３において、本体部３１とカバー部３２，３３との間の隙間は必ずしも形成されていなくてもよい。外装体３を構成する材料は特には限定されず、紙以外であってもよい。例えば、変形可能な樹脂材料で形成することもできる。
【００４４】
＜５−６＞
本発明が対象とする商品収容体に収容される商品は、特には限定されず、例えば、芳香剤等の小型の物品など、種々の商品とすることができ、これに合わせて、支持体２の収容部２１、フランジ部２２、支持部２３、外装体３の大きさや形状を適宜、決定することができる。
【符号の説明】
【００４５】
１  商品
２  支持体
２１  収容部
２２  フランジ部
２３  支持部
２３１  脚部
２４ａ〜２４ｄ  固定凸部（固定手段）
２６ａ〜２６ｄ  固定凹部（固定手段）
３  外装体
３１  本体部
３２  第１カバー部（第１部位）
３３  第２カバー部（第２部位）
【図１】
2020073395.tif 000003
【図２】
2020073395.tif 000004
【図３】
2020073395.tif 000005
【図４】
2020073395.tif 000006
【図５】
2020073395.tif 000007
【図６】
2020073395.tif 000008
【図７】
2020073395.tif 000009
【図８】
2020073395.tif 000010
【図９】
2020073395.tif 000011
【図１０】
2020073395.tif 000012
【図１１】
2020073395.tif 000013
【図１２】
2020073395.tif 000014
【図１３】
2020073395.tif 000015
【図１４】
2020073395.tif 000016
【図１５】
2020073395.tif 000017